(57)【要約】      （修正有）【課題】トイレットペーパーを片手で引き千切ることができ、セットが容易で、次回の摘み代を多く取ることができる片手操作用トイレットペーパーホルダー、及び普通のトイレットペーパーホルダーに取り付けて同様の使用が可能となる片手操作用具を提供する。【解決手段】ホルダーカバー２が軸支されるトイレットペーパーホルダーＨａと、ホルダーカバー２の下に装着される片手操作用具Ｈｂとからなり、片手操作用具Ｈｂは、トイレットペーパーＰのペーパー端部２０を通すようにホルダーカバー２の基部に上下揺動可能に取り付けられる引出枠６と、引出枠６の前端に軸支される反転カッター１１とからなり、引出枠６は、ペーパー端部２０を下から上へ通して反転カッター１１の先端の切り刃１９から垂れ下げ、反転カッター１１は、先端の切り刃１９がトイレットペーパーＰの外周面から前方へ突出する形状に形成する。【選択図】    図１
2006326059.tif 000002
【特許請求の範囲】
【請求項１】
トイレットペーパーの上で上下揺動するようホルダーカバーが軸支されるトイレットペーパーホルダーと、ホルダーカバーの下に装着される片手操作用具とからなり、片手操作用具は、装填されたトイレットペーパーのペーパー端部を通すようにホルダーカバーの基部に上下揺動可能に取り付けられる引出枠と、引出枠の前端にホルダーカバーの先端下で軸支される反転カッターとからなり、引出枠については、ペーパー端部を下から上へ通して反転カッターの先端の切り刃から垂れ下げ得るように、トイレットペーパーの横巾よりも広口で且つトイレットペーパーの少なくともその後半部が露出する大口枠形状に形成し、また、反転カッターは、先端の切り刃がトイレットペーパーの外周面から前方へ突出する形状に形成されたことを特徴とする片手操作用トイレットペーパーホルダー。
【請求項２】
トイレットペーパーホルダーにそのホルダーカバーの下に装着する取付手段を具備した片手操作用具であって、ホルダーカバーの裏側の基部に取り付ける基部フレームに、反転フレームを介して反転カッターを連結することにより、基部フレームと反転フレームと反転カッターとで枠組みされる引出枠が構成され、引出枠は、ペーパー端部を下から上へ通して反転カッターの先端の切り刃から垂れ下げ得るように、トイレットペーパーの横巾よりも広口で且つ少なくともトイレットペーパーの後半部が露出する大口の枠形状に形成され、反転カッターは、ホルダーカバーの先端部下で反転フレームに軸支され、先端の切り刃がトイレットペーパーの外周面から前方へ突出する形状に形成されたことを特徴とするトイレットペーパーホルダーの片手操作用具。
【発明の詳細な説明】
【技術分野】
【０００１】
この発明は、トイレットペーパーを片手で引き千切ることができるようにした片手操作用トイレットペーパーホルダー及びその片手操作用具に関する。
【背景技術】
【０００２】
トイレットペーパーホルダーは、一般的に、トイレ壁にビス止めする基板の両側にトイレットペーパーを挟むブラケットを突設したコ字形のホルダー本体を主体とし、このホルダー本体に、トイレットペーパーの回転軸を設け、上端にトイレットペーパーを押さえるホルダーカバーを軸支したもので、ペーパーを使用するときには、トイレットペーパーから所望する長さに先端部を引き出してから、ホルダーカバーを片手でトイレットペーパーに押さえつけながらそれを固定した状態で、引き出したペーパーを上に持ち上げることにより、ホルダーカバーの先端縁で引き千切っていた。しかし、これでは、両手使いとなるだけでなく、下押さえと持ち上げという相反する動作となるために、殊に老人等の身体不自由者には利用に困難が生じていたので、片手でペーパーを切ることのできるトイレットペーパーホルダーの提案がなされる。
【０００３】
これには、まず、ホルダーカバーの先端部にペーパーの引出口を設け、引出口の前端縁に切り刃を備えたものが挙げられる（特許文献１）。これによると、引出口から引き出したペーパーを下へ引くと、その引く力によりホルダーカバーがトイレットペーパーを押さえて固定することになるため、片手使いによりペーパーが切れる。しかし、引出口が横に長く巾狭いスリット状であったので、最初にセットするときに、ペーパーの端を引出口に通す操作が容易ではなかった。また、切り刃が引出口の縁に設けられていたので、次回の使用において引出先となる摘み代が僅かとなり、しかも、トイレットペーパーに不用意に触れただけで、摘み代が引出口の中に引っ込んでしまうおそれがあり、こうなると、最初からセットをしなおすことになり、この点でも不便であった。
【０００４】
この点を解決したものとしては、特許文献２に記載されたものを挙げることができる。これによると、片持ちに軸支されたホルダーカバーの先端に起立状に屈折した切り刃を形成し、トイレットペーパー本体の基板とホルダーカバーとの間の隙間からペーパーを上に通して、切り刃に当てるようにしたもので、したがって、隙間から切り刃までの距離、つまりホルダーカバーの前後巾が摘み代の長さとなり、それを十分に取れる。しかし、ホルダーカバーが片持ちの不安定な軸支構造となり、また、隙間を大きく取れないのでホルダーカバーの上面にペーパーを掛ける最初のセットがこの場合も容易ではなかった。
【０００５】
さらに、特許文献３に見られるように、ホルダーカバーの下になるようにそれと同軸にカッタープレートを軸支した提案がある。これによると、カッタープレートの先端に切り刃を形成するとともに、基端部に片側へ開口する引出口をスリット状に設けられるので、この場合も摘み代が長くなるけれども、引出口が巾狭いので、これもトイレットペーパーのセットが容易ではなかった。また、従来のこの種のトイレットペーパーホルダーは、いずれも片手操作によりトイレットペーパーを切ることができる専用ホルダーであって、両手使いの普通のトイレットペーパーホルダーとして使用することはできなかった。
【特許文献１】特開平０３−１０９０１５号公報
【特許文献２】特開２００４−１７４１７２号公報
【特許文献３】実開平０１−１１７２９１号公報
【発明の開示】
【発明が解決しようとする課題】
【０００６】
この発明は、上記のような実情に鑑みて、トイレットペーパーを片手で引き千切ることができことはもちろん、トイレットペーパーのセットが容易であり、次回使用の摘み代を多く取ることができ、しかも、普通のトイレットペーパーホルダーとしても使用できる片手操作用トイレットペーパーホルダー、及び普通のトイレットペーパーホルダーに取り付けて同様の使用が可能とる片手操作用具を提供することを課題とした。
【課題を解決するための手段】
【０００７】
上記の課題を解決するために、この発明の片手操作用トイレットペーパーホルダーは、トイレットペーパーの上で上下揺動するようホルダーカバーが軸支されるトイレットペーパーホルダーと、ホルダーカバーの下に装着される片手操作用具とからなり、片手操作用具は、装填されたトイレットペーパーのペーパー端部を通すようにホルダーカバーの基部に上下揺動可能に取り付けられる引出枠と、引出枠の前端にホルダーカバーの先端下で軸支される反転カッターとからなり、引出枠については、ペーパー端部を下から上へ通して反転カッターの先端の切り刃から垂れ下げ得るように、トイレットペーパーの横巾よりも広口で且つトイレットペーパーの少なくともその後半部が露出する大口枠形状に形成し、また、反転カッターは、先端の切り刃がトイレットペーパーの外周面から前方へ突出する形状に形成されたことを特徴とする。
【０００８】
片手操作用トイレットペーパーホルダーを上記のように構成したから、トイレットペーパーをセットするときには、ホルダーカバーを持ち上げてその下に広く開口している片手操作用具の引出枠の中にペーパーの先端部を下から上へ通して、反転カッターの切り刃よりも先に出した状態でホルダーカバーを閉じる。この状態でペーパーを切り取るときには、それを所望する長さだけ引き出してから下へ引き下げると、片手操作用具がトイレットペーパーを押さえて固定した状態となるので、切り刃によりペーパーを引き千切ることができる。したがって、次回の使用における摘み代は、ホルダーカバーの先端と切り刃との間の距離となり十分取れることになり、反転カッターが突き出ているので、摘み代が引出枠の中に引っ込むおそれがなく、たとえ引出枠の中に落ちてもその口が広いので、再セットも容易である。
【０００９】
また、この発明の片手操作用具は、トイレットペーパーホルダーにそのホルダーカバーの下に装着する取付手段を具備した片手操作用具であって、ホルダーカバーの裏側の基部に取り付ける基部フレームに、反転フレームを介して反転カッターを連結することにより、基部フレームと反転フレームと反転カッターとで枠組みされる引出枠が構成され、引出枠は、ペーパー端部を下から上へ通して反転カッターの先端の切り刃から垂れ下げ得るように、トイレットペーパーの横巾よりも広口で且つ少なくともトイレットペーパーの後半部が露出する大口の枠形状に形成され、反転カッターは、ホルダーカバーの先端部下で反転フレームに軸支され、先端の切り刃がトイレットペーパーの外周面から前方へ突出する形状に形成されたことを特徴とする。
【００１０】
片手操作用具を上記のように構成したから、普通のトイレットペーパーホルダーに取り付けることにより、上記と同様にセットが容易であるとともに片手操作が可能となり、また、取り外して普通のトイレットペーパーホルダーとしても使用できることになる。
【発明の効果】
【００１１】
以上説明したように、この発明によれば、トイレットペーパーを片手で千切ることができことはもちろん、引出枠にペーパーを通しやすいのでトイレットペーパーのセットが容易であり、反転カッターの巾で摘み代を多く取ることができ、殊に、片手操作用具によれば、普通のトイレットペーパーホルダーに取り付けて同様の使用が可能となり、着脱により両方に選択的な使用ができるという優れた効果がある。
【発明を実施するための最良の形態】
【００１２】
次に、この発明の実施形態を図面に基づいて説明する。
【００１３】
図１ないし図４は、一実施の形態を示したもので、その片手操作用トイレットペーパーホルダーＨは、普通に市販されているコ字型のトイレットペーパーホルダーＨａと、それに取り付ける片手操作用具Ｈｂとからなり、これにペーパー端部２０を容易に通すことのできる大口に引出枠６が具備される。
【００１４】
トイレットペーパーホルダーＨａは、トイレ壁４にビス止めするホルダー本体１にトイレットペーパーＰを回転可能に支持する回転軸８，８を両側に設け、上端基部にホルダーカバー２を軸支したもので、トイレットペーパーＰを挟む両側のブラッット３，３に回転軸８，８を上へ反転して引っ込め得るように、仕舞孔５，５の中において反転可能に軸支するとともに、相対向する水平に保持できるようにバネで付勢されている。また、ホルダーカバー２は、これも普通のもので、両ブラッット３，３の間においてトイレットペーパーＰを覆う形状である。
【００１５】
片手操作用具Ｈｂは、基部フレーム７にコ字形の反転フレーム９を軸支し、反転フレーム９の先端に反転カッター１１を軸支したもので、この基部フレーム７と、反転フレーム９、反転カッター１１とで大口の引出枠６が構成される。また、基部フレーム７についてトイレットペーパーホルダーＨａに装着する取付手段１３を具備し、これには雌雄両テープ１３ａ，１３ｂからなるベルベット式ファスナーテープ（マジックテープ（登録商標））が用いられている。
【００１６】
基部フレーム７は、帯板の両端に反転フレーム９を軸支する支承片を屈折により形成したもので、それに反転フレーム９の先を挿入する複数（２個）の軸支孔１６，１６を設け、その一方が予備の調整孔とされる。そして、この基部フレーム７の裏面の両端部に前記一方のテープ１３ａが接着してある。
【００１７】
反転フレーム９は、針金をコ字形に折り曲げるとともに、両端に相対向するように屈折して連結軸１７，１７が形成され、この連結軸１７，１７が前記した基部フレーム７の軸支孔１６，１６に差し込まれる。
【００１８】
反転カッター１１は、先端にジグザグ形の切り刃１９が形成され、その切り刃１９が上向き傾向となるように全体が湾曲形状であって、基端には細管状に反転軸２１を設け、それに反転フレーム９の先端が軸として挿入される。したがって、基部フレーム７に反転フレーム９が上下に揺動し、反転フレーム９に対して反転カッター１１が上下に揺動する。
【００１９】
片手操作用具Ｈｂを取り付けるには、ベルベット式ファスナーの他方のテープ１３ｂを、ホルダーカバー２の基部の裏面に左右一対において接着してから、基部フレーム７の裏面のテープ１３ａ，１３ａをそれに合わせて連結する。そうすると、ホルダーカバー２の下において引出枠６がトイレットペーパーＰの上になり（図２）、先端の反転カッター１１がホルダーカバー２の先端から突出しているので、ホルダーカバー２を下ろすと切断可能状態となる。図３および図４がトイレットペーパーＰをセットした状態において、切り刃１９からペーパーの端２０が垂れ下がる切断可能状態を示す。
【００２０】
トイレットペーパーＰをセットするには、まず、それを回転軸８，８の下から押し上げてそれに円筒形の芯材１５を掛けてから、ホルダーカバー２を持ち上げると、トイレットペーパーＰの上に広く引出枠６が開口するので（図２）、広く開口する引出枠６の中にペーパーの端２０を容易に通すことができ、通した端２０を反転カッター１１の先に垂れ下げてセットを終わることができる。セット後使用するときには、片手でペーパー端２０を前に引出し（図３，図４の二点鎖線）このときトイレットペーパーＰは固定されなく回転するが、下へ引き下ろすと（同図の実線）、今度は反転軸２１でトイレットペーパーＰが押さえられ固定されるので、切り刃１９で端２０を切り取ることができる。
【００２１】
図５は、他の実施形態を示したもので、同じくトイレットペーパーホルダーＨａと片手操作用具Ｈｂとからなるものであるが、トイレットペーパーホルダーＨａは、基板１の一端にブラッット３を突設し、それにトイレットペーパーＰの芯材１５が挿入される棒状の回転軸８が突設され、その先端にトイレットペーパーＰが掛かる脱出止めの突起２３が形成される。
【００２２】
片手操作用具Ｈｂは、反転カッター１１が前記実施形態の場合とは逆の湾曲形状としたので（平たい形状でも良い）、先端の切り刃１９が上向きの屈折形状において形成されている。また、取付手段１３には両面粘着テープが用いられ、同じようにホルダーカバー２の裏面の基端に基部フレーム７を固着するようにしてある。その他、取付手段１３については、ホルダーカバー２の裏面の基部に、基部フレーム７を差し込み挟んで固定する片を突設してあっても良いというように、取付手段１３については様々となり得る。
【００２３】
なお、片手操作用具Ｈｂの基部フレーム７、反転フレーム９、反転カッター１１の材質については、プラスチック、金属等が使用されるが、特に限定するものではない。
【図面の簡単な説明】
【００２４】
【図１】この発明の片手操作用トイレットペーパーホルダーを示す分解斜視図である。
【図２】トイレットペーパーのセットの要領を示す同片手操作用トイレットペーパーホルダーの断面図である。
【図３】同片手操作用トイレットペーパーホルダーの使用状態を示す斜視図である。
【図４】図３のＡ−Ａ線矢視の断面図である。
【図５】他の実施形態を示す片手操作用トイレットペーパーホルダーの分解斜視図である。
【符号の説明】
【００２５】
Ｈ  片手操作用トイレットペーパーホルダー
Ｈａ  トイレットペーパーホルダー
Ｈｂ  片手操作用具
Ｐ  トイレットペーパー
２  ホルダーカバー
６  引出枠
７  基部フレーム
９  反転フレーム
１１  反転カッター
１３  取付手段
１９  切り刃
２０  ペーパー端部
【図１】
2006326059.tif 000003
【図２】
2006326059.tif 000004
【図３】
2006326059.tif 000005
【図４】
2006326059.tif 000006
【図５】
2006326059.tif 000007